【手続補正書】
【提出日】平成21年12月10日(2009.12.10)
【手続補正１】
【補正対象書類名】特許請求の範囲
【補正対象項目名】全文
【補正方法】変更
【補正の内容】
【特許請求の範囲】
【請求項１】
複数のデザインセルから構成された回路であって、
第１および第２の配向のレールを有するクロック導電グリッドと第１および第２の配向の前記クロック導電グリッドのレール間に規則的な交差とを有するクロックグリッドを形成するようにともに配置された複数のグリッドデザインセルであって、各グリッドデザインセルは、第１および第２の配向の少なくとも１つにグリッドセルの長さを延在する少なくとも１つのクロックラインと少なくとも１つの電源レールを含む、前記グリッドデザインセルと、
前記クロックグリッドに結合されかつ前記クロックグリッド内に回路を形成する回路デザインセルと、
を有する回路。
【請求項２】
前記グリッドデザインセルはまた、電源グリッドを形成する、請求項１に記載の回路。
【請求項３】
デカップリングキャパシタンスは、各グリッドデザインセルの電源ラインとグランドラインとの間に提供される、請求項２に記載の回路。
【請求項４】
前記クロックグリッドは、電源グリッドによってシールドされる、請求項２に記載の回路。
【請求項５】
少なくとも１つの電源レールおよび少なくとも１つのクロックラインは、同一の金属層で構成される、請求項１に記載の回路。
【請求項６】
各グリッドデザインセルは、第２の配向の少なくとも１つの電源レールおよび少なくとも１つのクロックラインと第１の配向の少なくとも１つの他の電源レールとを含む、請求項１に記載の回路。
【請求項７】
各グリッドデザインセルは、第１および第２の配向の各々に少なくとも１つの電源レールと少なくとも１つのクロックラインとを含む、請求項１に記載の回路。
【請求項８】
各グリッドデザインセルは、異なる配向の電源レールを相互接続し、かつ異なる配向のクロックラインを相互接続する、請求項７に記載の回路。
【請求項９】
各グリッドデザインセルは、隣接するグリッドセルが隣り合わせることによって互いに電気的に結合されるように形成される、請求項1に記載の回路。
【請求項１０】
前記クロックグリッドおよび電源グリッを形成するためにソフトウエアツールが使用される、請求項１に記載の回路。
【請求項１１】
ソフトウエアツールは、ＡＳＩＣソフトウエアツールである、請求項１０に記載の回路。
【請求項１２】
回路を設計するコンピュータが実施する方法であって、
クロックグリッドの設計であって、クロックグリッドは、第１および第２の配向のラインを有するクロック導電グリッドラインと第１および第２の配向のクロック導電グリッドのライン間の規則的な交差を含み、かつともに配置された個々のグリッドデザインセルからなり、各グリッドデザインセルは、第１および第２の配向の少なくとも１つにグリッドデザインセルの長さを延在する少なくとも１つのクロックラインおよび少なくとも１つの電源レールを含んでおり、
コンピュータを用いることにより、クロックグリッドに結合されかつクロックグリッド内部に個々の回路デザインセルの回路を設計する、
方法。
【請求項１３】
前記方法はさらに、個々のグリッドデザインセルを有する電源グリッドを設計することを含む、請求項１２に記載の方法。
【請求項１４】
前記電源グリッドおよびクロックグリッドは、集積される、請求項１３に記載の方法。
【請求項１５】
前記方法はさらに、ソフトウエアツールを使用することで、個々のグリッドデザインセルを配置し、
前記ソフトウエアツールを使用することで個々の回路デザインセルを配置することを含む、請求項１４に記載の方法。
【請求項１６】
前記ソフトウエアツールは、ＡＳＩＣソフトウエアツールである、請求項１５に記載の方法。
【請求項１７】
前記方法はさらに、クロックグリッドを電力グリッドでシールドすることを含む、請求項１２に記載の方法。
【請求項１８】
前記方法はさらに、前記電源グリッドを使用してデカップリングキャパシタンスを提供することを含む、請求項１３に記載の方法。
【請求項１９】
前記方法はさらに、同一の金属層に少なくとも１つの電源レールと少なくとも１つのクロックラインを提供することを含む、請求項１２に記載の方法。
【請求項２０】
個々のグリッドデザインセルは、第２の配向に少なくとも１つの電源レールと少なくとも１つのクロックラインとを含み、かつ第１の配向に少なくとも１つの他の電源レールを含む、請求項１２に記載の方法。
【請求項２１】
個々のグリッドデザインセルは、第１および第２の配向の各々に少なくとも１つの電源レールと少なくとも１つのクロックラインとを含む、請求項１２に記載の方法。
【請求項２２】
前記方法はさらに、相互接続を提供するものであり、前記グリッドデザインセルは、異なる配向の電源レールを相互接続し、かつ異なる配向のクロックラインを相互接続することを含む、請求項２１に記載の方法。
【請求項２３】
相互接続は、隣接するグリッドデザインセルを接合することによって提供される、請求項２１に記載の方法。
【請求項２４】
集積された電源およびクロックグリッドを提供するコンピュータが実施する方法であって、
コンピュータを使用することにより、ＡＳＩＣツールで個々のグリッドデザインセルを配置するものであり、前記グリッドデザインセルは、電圧およびクロック要素を含み、クロックグリッドを形成し、前記クロックグリッドは、第１および第２の配向のラインを有するクロック導電グリッドと第１および第２の配向のクロック導電グリッドのライン間の規則的な交差とを含み、各グリッドデザインセルはさらに、少なくとも１つの電源レールと第１および第２の配向の少なくとも１つにグリッドデザインセルの長さを延在する少なくとも１つのクロックラインとを有しており、
コンピュータを使用することにより、ＡＳＩＣツールで個々の回路デザインセルを配置すること、
を含む方法。
【請求項２５】
デザインシステムであって、
少なくとも１つの回路デザインセルと、
クロックグリッドを形成する複数のグリッドデザインセルであって、前記クロックグリッドは、第１および第２の配向のラインを有するクロック導電グリッドと第１および第２の配向のクロック導電グリッドのライン間の規則的な交差とを含み、各グリッドデザインセルはさらに、第１および第２の配向の少なくとも１つにグリッドデザインセルの長さを拡張する少なくとも１つのクロックラインと少なくとも１つの電源レールとを含む、前記複数のグリッドデザインセルと、
配置するソフトウエアであって、当該配置するソフトウエアは、複数のグリッドデザインセルと少なくとも１つの回路デザインセルを配置する、前記配置するソフトウエアと、
ルーティングするソフトウエアであって、当該ルーティングソフトウエアは、複数のグリッドデザインセル間、少なくとも１つの回路デザインセルと複数のグリッドデザインセル間、および少なくとも１つの回路デザインセルと少なくとも１つの他の回路デザインセル間の相互結合を提供する、前記ルーティングするソフトウエアと、
を有するデザインシステム。
【請求項２６】
デザインシステムであって、
第１の配向にクロックおよび電源ラインを提供する第１の配向セル手段と、
第２の配向にクロックおよび電源ラインとを提供する第２の配向セル手段と、
第１の配向のクロックおよび電源ラインを相互接続し、かつ第２配向のクロックおよび電源ラインを相互接続して提供する相互接続セル手段と、
を含むデザインシステム。
【請求項２７】
ＡＳＩＣスタンダードデザインセルであって、
少なくとも１つの電源レールと、
少なくとも１つのクロックラインであって、前記少なくとも１つの電源レールと前記少なくとも１つのクロックラインは互いに並行であり、前記少なくとも１つの電源レールと前記少なくとも１つのクロックラインは、隣接する回路デザインセルのグリッドラインに接続されるよう適合される、前記少なくとも１つのクロックラインと、
を有するデザインセル。